(57)【要約】【課題】  スピンドルモータをドライブシャーシに所定通りに確実に固定すること。【解決手段】  ドライブシャーシ４のモータ載置面４ａにメイン受台２３Ａと両サブ受台２３Ｂ，２３Ｃとが三角形Ｔを形成するように一体突設され、メイン受台２３Ａの中央に第１ビス挿通孔２４Ａが同心状に貫設され、そのメイン受台２３Ａの傾斜状モータ対向面２８の頂点２８ａの高さｈが両サブ受台２３Ｂ，２３Ｃの高さｈと同一に設定され、前記三角形Ｔの中に第１ビス挿通孔２４Ａが位置決めされており、その第１ビス挿通孔２４Ａを通ってスピンドルモータ１１のねじ孔２５にビス２６をねじ込んで該スピンドルモータ１１を傾斜状モータ対向面２８の頂点２８ａと両サブ受台２３Ｂ，２３Ｃとに押し付け、第２ビス挿通孔２４Ｂを通ってスピンドルモータ１１のねじ孔２５にビス２６をねじ込んで該スピンドルモータ１１を各受台２３Ａ〜２３Ｃに固定する。【選択図】        図１
2008108344.tif 000002
【特許請求の範囲】
【請求項１】
ディスク載置用トレイを前後進可能に支持するローダーシャーシを有し、該ローダーシ
ャーシに後端を上下動可能に枢支させた金属板製ドライブシャーシの中央部に光ピックア
ップが移動可能に配置され、前記ドライブシャーシの前部にモータ載置面が形成され、該
モータ載置面に３つの受台が一体突設されると共に、そのモータ載置面に第１、第２のビ
ス挿通孔が貫設され、前記各受台にターンテーブル付きスピンドルモータを当接させ、各
ビス挿通孔を通ってスピンドルモータのねじ孔にビスをねじ込むことにより、そのスピン
ドルモータがドライブシャーシに止着されており、プレイモードでドライブシャーシを上
動させて水平姿勢にすることによりターンテーブルでトレイ上のディスクを持ち上げ、ス
ピンドルモータによりターンテーブルを介してディスクを高速回転させ、該ディスクに記
録されている情報を光ピックアップにより読み取るようにしたディスク装置において、前
記３つの受台のうち、その１つがメイン受台とされると共に、残り２つがサブ受台とされ
、前記メイン受台の中央に前記第１ビス挿通孔が同心状に貫設され、そのメイン受台のモ
ータ対向面が前記モータ載置面に対して傾斜され、該傾斜状モータ対向面の頂点の高さが
両サブ受台の高さと同一に設定され、その頂点と両サブ受台とをつなぐ三角形の中に前記
第１ビス挿通孔が位置決めされていることを特徴とするディスク装置。
【請求項２】
ディスク載置用トレイを前後進可能に支持するローダーシャーシを有し、該ローダーシ
ャーシに後端を上下動可能に枢支させた金属板製ドライブシャーシの中央部に光ピックア
ップが移動可能に配置され、前記ドライブシャーシの前部にモータ載置面が形成され、該
モータ載置面に３つの受台が一体突設されると共に、そのモータ載置面にビス挿通孔が貫
設され、前記各受台にターンテーブル付きスピンドルモータを当接させ、ビス挿通孔を通
ってスピンドルモータのねじ孔にビスをねじ込むことにより、そのスピンドルモータがド
ライブシャーシに止着されており、プレイモードでドライブシャーシを上動させて水平姿
勢にすることによりターンテーブルでトレイ上のディスクを持ち上げ、スピンドルモータ
によりターンテーブルを介してディスクを高速回転させ、該ディスクに記録されている情
報を光ピックアップにより読み取るようにしたディスク装置において、前記各受台により
形成した三角形の中に前記ビス挿通孔が位置決めされていることを特徴とするディスク装
置。
【請求項３】
前記３つの受台のうち、その１つがメイン受台とされると共に、残り２つがサブ受台と
され、前記メイン受台の中央に前記ビス挿通孔が同心状に貫設されていることを特徴とす
る請求項２に記載のディスク装置。
【請求項４】
前記メイン受台のモータ対向面が前記モータ載置面に対して傾斜され、該傾斜状モータ
対向面の頂点の高さが両サブ受台の高さと同一に設定され、その頂点と両サブ受台とをつ
なぐ三角形の中に前記ビス挿通孔が位置決めされていることを特徴とする請求項３に記載
のディスク装置。
【請求項５】
前記３つの受台のうち、その１つがメイン受台とされると共に、残り２つがサブ受台と
され、前記メイン受台のモータ対向面が半球面とされ、該半球状モータ対向面の頂点の高
さが両サブ受台の高さと同一に設定され、その頂点と両サブ受台とをつなぐ三角形の中に
前記ビス挿通孔が位置決めされていることを特徴とする請求項２に記載のディスク装置。
【請求項６】
前記ドライブシャーシにハーフパンチ加工を施して前記各サブ受台を形成することによ
り、該各サブ受台のモータ対向面が前記モータ載置面と平行に位置決めされていることを
特徴とする請求項３〜５に記載のディスク装置。
【請求項７】
ディスク載置用トレイを前後進可能に支持するローダーシャーシを有し、該ローダーシ
ャーシに後端を上下動可能に枢支させた金属板製ドライブシャーシの中央部に光ピックア
ップが移動可能に配置され、前記ドライブシャーシの前部にモータ載置面が形成され、該
モータ載置面に３つの受台が一体突設されると共に、そのモータ載置面に第１、第２のビ
ス挿通孔が貫設され、前記各受台にターンテーブル付きスピンドルモータを当接させ、各
ビス挿通孔を通ってスピンドルモータのねじ孔にビスをねじ込むことにより、そのスピン
ドルモータがドライブシャーシに止着されており、プレイモードでドライブシャーシを上
動させて水平姿勢にすることによりターンテーブルでトレイ上のディスクを持ち上げ、ス
ピンドルモータによりターンテーブルを介してディスクを高速回転させ、該ディスクに記
録されている情報を光ピックアップにより読み取るようにしたディスク装置において、前
記３つの受台のうち、その１つがメイン受台とされると共に、残り２つがサブ受台とされ
、前記メイン受台の中央に前記第１ビス挿通孔が同心状に貫設され、そのメイン受台のモ
ータ対向面が前記モータ載置面に対して傾斜され、該傾斜状モータ対向面の頂点の高さが
両サブ受台の高さと同一に設定され、その頂点と両サブ受台とをつなぐ三角形の中に前記
第１ビス挿通孔が位置決めされており、第１ビス挿通孔を通ってスピンドルモータのねじ
孔にビスをねじ込んで該スピンドルモータを傾斜状モータ対向面の頂点と両サブ受台とに
押し付け、第２ビス挿通孔を通ってスピンドルモータのねじ孔にビスをねじ込んで該スピ
ンドルモータを各受台に固定するようにしたことを特徴とするディスク装置におけるスピ
ンドルモータの固定方法。
【発明の詳細な説明】
【技術分野】
【０００１】
本発明は、例えばＤＶＤプレーヤやＤＶＤレコーダなどのディスク装置とそのスピンド
ルモータの固定方法に関し、特に、スピンドルモータをドライブシャーシに所定通りに確
実に固定することができるようにいたものである。
【背景技術】
【０００２】
ディスク装置の一例として図７〜図９に示すものがあり、図７はディスク装置の水平断
面図、図８は同縦断面図、図９は同横断面図である。これはＤＶＤプレーヤであって、前
面にディスク挿入口１ａを有する筐体１内にディスクＤ載置用トレイ２を前後進ａ，ｂ可
能に支持するローダーシャーシ３が設けられ、該ローダーシャーシ３内に配置した金属板
製ドライブシャーシ４の後端が枢支軸５を介してそのローダーシャーシ３に上下動ｃ，ｄ
可能に枢支され、ドライブシャーシ４の中央部にガイドレール６Ａ，６Ｂを介して対物レ
ンズＯＬ付き光ピックアップ７が移動可能に配置されると共に、そのドライブシャーシ４
の前端がカム機構８を介してカムスライダ９に係合され、前記ドライブシャーシ４の前部
にモータ載置面４ａが形成され、該モータ載置面４ａにスピンドルモータ１１が止着され
、該スピンドルモータ１１のモータ軸１１ａにターンテーブル１０が固着されている。
【０００３】
前記ガイドレール６Ａの高さを調整することにより、光ピックアップ７からディスクＤ
に対して投射するレーザ光の投射角度が直角になるように設定される。
【０００４】
図７に示すように、光ピックアップ７をラック・ピニオン機構１２及びウォ−ム機構１
３を介して往復移動させるフィードモータ１４がドライブシャーシ４に設けられると共に
、該フィードモータ１４によりギヤ機構１５を介して正逆回転ｅ，ｆされる従動ピニオン
１６がローダーシャーシ３の前部に配置されている。
【０００５】
図７及び図８に示すように、前記カムスライダ９は、ローダーシャーシ３の前部に左右
方向ｇ，ｈにスライド可能に配置され、該カムスライダ９の一端部に形成したスライドラ
ック９ａが前記従動ピニオン１６に係脱可能に噛合されるようになっている。
【０００６】
図７及び図８に示すように、前記カム機構８は、カムスライダ９に形成したカム溝８ａ
と、前記ドライブシャーシ４の前端に一体突設されて前記カム溝８ａに嵌入するカムピン
８ｂとを有している。また、前記カムスライダ９にトリガープレート１７が一体形成され
、前記ラック・ピニオン機構１２のラック前端に突設した操作ピン１８に対向してトリガ
ープレート１７の下面に斜めに傾斜する操作溝１７ａ形成されている。図８中、１９はロ
ーダーシャーシ３の両側板間に架設した横桟２０の中央収納部２０ａ内に一定範囲内昇降
可能に配置したクランパであって、該クランパ１９の下面に設けたマグネットの磁力によ
り、そのクランパ１９とターンテーブル１０とでディスクＤをクランプする。
【０００７】
情報読取動作を説明すると、図８の実線はプレイモードを示しており、ディスクＤをタ
ーンテーブル１０とクランパ１９とでクランプし、スピンドルモータ１１によりターンテ
ーブル１０を介してディスクＤを高速回転させ、フィードモータ１４を駆動してウォ−ム
機構１３及びラック・ピニオン機構１２を介して光ピックアップ７を前後方向に移動させ
、該光ピックアップ７によりディスクＤに記録されている映像情報の再生を行う。
【０００８】
トレイオープン時には、光ピックアップ７を前方に移動させることにより、操作ピン１
８が操作溝１７ａ内に入って該操作溝１７ａの傾斜状内側面を押すことにより、カムスラ
イダ９が矢印ｇ方向にわずかにスライドされ、スライドラック９ａを従動ピニオン１６に
噛合させる。この噛合状態で従動ピニオン１６を正転ｅさせることにより、カムスライダ
９を矢印ｇ方向にスライドさせ、カム溝８ａ及びカムピン８ｂを介してドライブシャーシ
４を下動ｄさせことにより、ディスクＤをターンテーブル１０からトレイ２上に移し換え
る（図８仮想線参照）。続いて、スライドラック９ａが従動ピニオン１６から離間され、
それとほぼ同時に、従動ピニオン１６に一体形成した大径ピニオン１６ａにトレイ２の下
面のラック（図示せず）が噛合され、該大径ピニオン１６ａの正転ｅによりトレイ２が前
進ａされる（図９仮想線参照）。そのオープン状態のトレイ２からディスクＤを取り出し
たり新たなディスクＤをトレイ２上に載置する。トレイイン時には上記とは逆の操作がな
される。
【０００９】
従来のスピンドルモータ１１の固定構造を図１０〜図１３に基づいて説明すると、図１
０は同分解斜視図、図１１は同水平断面図、図１２は同拡大横断面図、図１３（ａ）（ｂ
）は同固定手順を示す拡大横断面図であり、ドライブシャーシ４のモータ載置面４ａの中
央に該モータ載置面４ａに対して直角に延びる中心軸Ｏ１が設定され、そのモータ載置面
４ａの一側縁からその中央に向けて中心軸Ｏ１を取り囲むようにモータ軸挿入用凹部２２
が形成され、そのモータ軸挿入用凹部２２の周辺のモータ載置面４ａに同一高さｈの３つ
の受台２３Ａ〜２３Ｃが三角形Ｔを形成するように一体突設され、モータ軸挿入用凹部２
２を間に挟んでモータ載置面４ａに第１、第２のビス挿通孔２４Ａ，２４Ｂが貫設されて
いる。
【００１０】
図１２に示すように、各受台２３Ａ〜２３Ｃにスピンドルモータ１１を当接させ、各ビ
ス挿通孔２４Ａ，２４Ｂを通ってスピンドルモータ１１のねじ孔２５にビス２６をねじ込
むことにより、そのスピンドルモータ１１がドライブシャーシ４に止着され、これによっ
て、スピンドルモータ１１のモータ軸心Ｏ２を中心軸Ｏ１に一致させる。
【特許文献１】特開２００２−１７１７０９号公報
【発明の開示】
【発明が解決しようとする課題】
【００１１】
上記従来の構成では、各ビス挿通孔２４Ａ，２４Ｂが各受台２３Ａ〜２３Ｃにより形成
した三角形Ｔの外にあるため、図１３（ａ）に示すように、第１ビス挿通孔２４Ａを通っ
てスピンドルモータ１１のねじ孔２５にビス２６をねじ込み過ぎると、第１ビス挿通孔２
４Ａに近い両受台２３Ｂ，２３Ｃの外周角部を結ぶ仮想線Ｓ（図１０参照）を支点にして
スピンドルモータ１１が矢印Ａ方向に傾き、該スピンドルモータ１１のモータ軸心Ｏ２が
中心軸Ｏ１に対してわずかの角度βであるが傾斜される。このため、図１３（ｂ）に示す
ように、第２ビス挿通孔２４Ｂを通ってスピンドルモータ１１のねじ孔２５にビス２６を
強くねじ込んでも、スピンドルモータ１１の傾き状態を修正することができず、この状態
で、ターンテーブル１０によりディスクＤを高速回転させると、該ディスクＤの回転中心
がずれて、そのディスクＤに記録されている映像情報の再生画面にノイズが生じたり、傾
いたターンテーブル１０上のディスクＤがトレイ２に接触するおそれがある。
【００１２】
本発明は、上記従来の欠点に鑑み、スピンドルモータをドライブシャーシに所定通りに
確実に固定することができるようにいたディスク装置とそのスピンドルモータの固定方法
を提供することを目的としている。
【課題を解決するための手段】
【００１３】
上記目的を達成するため、請求項１に記載の発明は、ディスク載置用トレイを前後進可
能に支持するローダーシャーシを有し、該ローダーシャーシに後端を上下動可能に枢支さ
せた金属板製ドライブシャーシの中央部に光ピックアップが移動可能に配置され、前記ド
ライブシャーシの前部にモータ載置面が形成され、該モータ載置面に３つの受台が一体突
設されると共に、そのモータ載置面に第１、第２のビス挿通孔が貫設され、前記各受台に
ターンテーブル付きスピンドルモータを当接させ、各ビス挿通孔を通ってスピンドルモー
タのねじ孔にビスをねじ込むことにより、そのスピンドルモータがドライブシャーシに止
着されており、プレイモードでドライブシャーシを上動させて水平姿勢にすることにより
ターンテーブルでトレイ上のディスクを持ち上げ、スピンドルモータによりターンテーブ
ルを介してディスクを高速回転させ、該ディスクに記録されている情報を光ピックアップ
により読み取るようにしたディスク装置において、前記３つの受台のうち、その１つがメ
イン受台とされると共に、残り２つがサブ受台とされ、前記メイン受台の中央に前記第１
ビス挿通孔が同心状に貫設され、そのメイン受台のモータ対向面が前記モータ載置面に対
して傾斜され、該傾斜状モータ対向面の頂点の高さが両サブ受台の高さと同一に設定され
、その頂点と両サブ受台とをつなぐ三角形の中に前記第１ビス挿通孔が位置決めされてい
ることを特徴としている。
【００１４】
請求項２に記載の発明は、ディスク載置用トレイを前後進可能に支持するローダーシャ
ーシを有し、該ローダーシャーシに後端を上下動可能に枢支させた金属板製ドライブシャ
ーシの中央部に光ピックアップが移動可能に配置され、前記ドライブシャーシの前部にモ
ータ載置面が形成され、該モータ載置面に３つの受台が一体突設されると共に、そのモー
タ載置面にビス挿通孔が貫設され、前記各受台にターンテーブル付きスピンドルモータを
当接させ、ビス挿通孔を通ってスピンドルモータのねじ孔にビスをねじ込むことにより、
そのスピンドルモータがドライブシャーシに止着されており、プレイモードでドライブシ
ャーシを上動させて水平姿勢にすることによりターンテーブルでトレイ上のディスクを持
ち上げ、スピンドルモータによりターンテーブルを介してディスクを高速回転させ、該デ
ィスクに記録されている情報を光ピックアップにより読み取るようにしたディスク装置に
おいて、前記各受台により形成した三角形の中に前記ビス挿通孔が位置決めされているこ
とを特徴としている。
【００１５】
請求項３に記載の発明は、請求項２に記載の発明において、前記３つの受台のうち、そ
の１つがメイン受台とされると共に、残り２つがサブ受台とされ、前記メイン受台の中央
に前記ビス挿通孔が同心状に貫設されていることを特徴としている。
【００１６】
請求項４に記載の発明は、請求項３に記載の発明において、前記メイン受台のモータ対
向面が前記モータ載置面に対して傾斜され、該傾斜状モータ対向面の頂点の高さが両サブ
受台の高さと同一に設定され、その頂点と両サブ受台とをつなぐ三角形の中に前記ビス挿
通孔が位置決めされていることを特徴としている。
【００１７】
請求項５に記載の発明は、請求項２に記載の発明において、前記３つの受台のうち、そ
の１つがメイン受台とされると共に、残り２つがサブ受台とされ、前記メイン受台のモー
タ対向面が半球面とされ、該半球状モータ対向面の頂点の高さが両サブ受台の高さと同一
に設定され、その頂点と両サブ受台とをつなぐ三角形の中に前記ビス挿通孔が位置決めさ
れていることを特徴としている。
【００１８】
請求項６に記載の発明は、請求項３〜５に記載の発明において、前記ドライブシャーシ
にハーフパンチ加工を施して前記各サブ受台を形成することにより、該各サブ受台のモー
タ対向面が前記モータ載置面と平行に位置決めされていることを特徴としている。
【００１９】
請求項７に記載の発明は、ディスク載置用トレイを前後進可能に支持するローダーシャ
ーシを有し、該ローダーシャーシに後端を上下動可能に枢支させた金属板製ドライブシャ
ーシの中央部に光ピックアップが移動可能に配置され、前記ドライブシャーシの前部にモ
ータ載置面が形成され、該モータ載置面に３つの受台が一体突設されると共に、そのモー
タ載置面に第１、第２のビス挿通孔が貫設され、前記各受台にターンテーブル付きスピン
ドルモータを当接させ、各ビス挿通孔を通ってスピンドルモータのねじ孔にビスをねじ込
むことにより、そのスピンドルモータがドライブシャーシに止着されており、プレイモー
ドでドライブシャーシを上動させて水平姿勢にすることによりターンテーブルでトレイ上
のディスクを持ち上げ、スピンドルモータによりターンテーブルを介してディスクを高速
回転させ、該ディスクに記録されている情報を光ピックアップにより読み取るようにした
ディスク装置において、前記３つの受台のうち、その１つがメイン受台とされると共に、
残り２つがサブ受台とされ、前記メイン受台の中央に前記第１ビス挿通孔が同心状に貫設
され、そのメイン受台のモータ対向面が前記モータ載置面に対して傾斜され、該傾斜状モ
ータ対向面の頂点の高さが両サブ受台の高さと同一に設定され、その頂点と両サブ受台と
をつなぐ三角形の中に前記第１ビス挿通孔が位置決めされており、第１ビス挿通孔を通っ
てスピンドルモータのねじ孔にビスをねじ込んで該スピンドルモータを傾斜状モータ対向
面の頂点と両サブ受台とに押し付け、第２ビス挿通孔を通ってスピンドルモータのねじ孔
にビスをねじ込んで該スピンドルモータを各受台に固定するようにしたことを特徴として
いる。
【発明の効果】
【００２０】
請求項１に記載の発明は第１の実施の形態（図１〜図３参照）に対応するものであって
、これによれば、メイン受台の傾斜状モータ対向面の頂点と両サブ受台とで形成した三角
形の中に第１ビス挿通孔が位置決めされているから、該第１ビス挿通孔を通ってビスをス
ピンドルモータのねじ孔にねじ込むことにより、該スピンドルモータが傾斜状モータ対向
面の頂点を支点にして両サブ受台に押し付けられて、そのスピンドルモータを傾かないよ
うに位置決めすることができ、続いて、第２ビス挿通孔を通ってスピンドルモータのねじ
孔にビスをねじ込むことにより、該スピンドルモータを傾斜状モータ対向面の頂点と両サ
ブ受台との３点支持で確実に固定することができ、これによって、スピンドルモータによ
りターンテーブルを介してディスクを精密に高速回転させて、そのディスクに記録されて
いる映像情報を鮮明に再生することができ、従来のように傾いたターンテーブル上のディ
スクがトレイに接触する事故を確実に防ぐことができる。
【００２１】
特に、メイン受台２３Ａと第１ビス挿通孔２４Ａとが同心状に重合して形成されている
から、その重合している分だけドライブシャーシ４を成形する成形金型の構造が簡単にな
り、金型代が安くつく。
【００２２】
請求項２に記載の発明は基本形態に対応するものであって、これによれば、各受台によ
り形成した三角形の中にビス挿通孔が位置決めされているから、そのビス挿通孔を通って
スピンドルモータのねじ孔にビスをねじ込むと、該スピンドルモータが各受台に均等に押
し付けられて、そのスピンドルモータが傾くことがなく、ドライブシャーシのモータ載置
面にスピンドルモータを所定通りに固定することができ、これによって、スピンドルモー
タによりターンテーブルを介してディスクを中心軸回りで精密に高速回転させて、そのデ
ィスクに記録されている映像情報を鮮明に再生することができ、従来のように傾いたター
ンテーブル上のディスクがトレイに接触する事故を確実に防ぐことができる。
【００２３】
請求項３に記載の発明によれば、メイン受台とビス挿通孔とが同心状に重合して形成さ
れているから、その重合している分だけドライブシャーシを成形する成形金型の構造が簡
単になり、金型代が安くつく。
【００２４】
請求項４に記載の発明によれば、ビス挿通孔を通ってビスをスピンドルモータのねじ孔
にねじ込むと、該スピンドルモータがメイン受台の傾斜状モータ対向面の頂点を支点にし
て両サブ受台に押し付けられるから、そのスピンドルモータがメイン傾斜状モータ対向面
の頂点と両サブ受台とで確実に３点支持されて、そのスピンドルモータを傾かないように
ドライブシャーシのモータ載置面に所定通りに固定することができる。
【００２５】
請求項５に記載の発明によれば、ビス挿通孔を通ってビスをスピンドルモータのねじ孔
にねじ込むと、該スピンドルモータがメイン受台の半球状モータ対向面の頂点を支点にし
て両サブ受台に押し付けられるから、そのスピンドルモータが半球状モータ対向面の頂点
と両サブ受台とで確実に３点支持されて、そのスピンドルモータを傾かないようにドライ
ブシャーシのモータ載置面に所定通りに固定することができる。
【００２６】
請求項６に記載の発明によれば、ドライブシャーシに対して精密加工に優れたハーフパ
ンチ加工を施すことにより両サブ受台が形成されているので、その各サブ受台のモータ対
向面をドライブシャーシのモータ載置面と平行に精密仕上げすることができる。
【００２７】
請求項７に記載の発明はスピンドルモータの固定方法に関し、最初に、第１ビス挿通孔
を通ってスピンドルモータのねじ孔にビスをねじ込むので、該スピンドルモータがメイン
受台の傾斜状モータ対向面の頂点を支点にして両サブ受台に押し付けられて、そのスピン
ドルモータを傾かないように位置決めすることができ、続いて、第２ビス挿通孔を通って
スピンドルモータのねじ孔にビスをねじ込むので、該スピンドルモータをメイン受台と両
サブ受台との３点支持で確実に固定することができる。
【発明を実施するための最良の形態】
【００２８】
図１〜図３は本発明の第１の実施の形態であるＤＶＤプレーヤ（ディスク装置）を示す
ものであって、図１は同スピンドルモータ１１の固定構造を示す分解斜視図、図２は同水
平断面図、図３（ａ）（ｂ）は同固定手順を示す拡大横断面図である。
【００２９】
図１〜図３に示すように、３つの受台２３Ａ〜２３Ｃのうち、その１つがメイン受台２
３Ａとされると共に、残り２つがサブ受台２３Ｂ，２３Ｃとされ、メイン受台２３Ａの中
央に第１ビス挿通孔２４Ａが同心状に貫設され、そのメイン受台２３Ａのモータ対向面２
８がモータ載置面４ａに対して傾斜されることにより、該傾斜状モータ対向面２８の頂点
２８ａが第１ビス挿通孔２４Ａよりも外側に位置決めされると共に、その頂点２８ａの高
さｈが両サブ受台２３Ｂ，２３Ｃの高さｈと同一に設定され、前記頂点２８ａと用サブ受
台２３Ｂ，２３Ｃとをつなぐ三角形Ｔの中に第１ビス挿通孔２４Ａが位置決めされている
。また、図３に示すように、ドライブシャーシ４にハーフパンチ加工を施して前記各サブ
受台２３Ｂ，２３Ｃを形成することにより、該各サブ受台２３Ｂ，２３Ｃのモータ対向面
２９がモータ載置面４ａと平行に位置決めされている。上記以外の構成は図７〜図１３に
示す構成とほぼ同じであるから、同一部分に同一符号を付してその説明を省略する。
【００３０】
固定手順を説明すると、最初に、図３（ａ）に示すように、第１ビス挿通孔２４Ａを通
ってスピンドルモータ１１のねじ孔２５にビス２６をねじ込む。これによって、メイン受
台２３Ａの頂点２８ａを支点にしてスピンドルモータ１１が矢印Ｂ方向に引っ張られ、そ
のスピンドルモータ１１が両サブ受台２３Ｂ，２３Ｃのモータ対向面２９に押し付けられ
る。続いて、図３（ｂ）に示すように、第２ビス挿通孔２４Ｂを通ってスピンドルモータ
１１のねじ孔２５にビス２６をねじ込む。
【００３１】
上記構成によれば、メイン受台２３Ａの傾斜状モータ対向面２８の頂点２８ａと両サブ
受台２３Ｂ，２３Ｃとで形成した三角形Ｔの中に第１ビス挿通孔２４Ａが位置決めされて
いるから、該第１ビス挿通孔２４Ａを通ってビス２６をスピンドルモータ１１のねじ孔２
５にねじ込むことにより、該スピンドルモータ１１が傾斜状モータ対向面２８の頂点２８
ａを支点にして両サブ受台２３Ｂ，２３Ｃに押し付けられて、そのスピンドルモータ１１
を傾かないように位置決めすることができ、続いて、第２ビス挿通孔２４Ｂを通ってスピ
ンドルモータ１１のねじ孔２５にビス２６をねじ込むことにより、該スピンドルモータ１
１を傾斜状モータ対向面２８の頂点２８ａと両サブ受台２３Ｂ，２３Ｃとの３点支持で確
実に固定することができ、これによって、スピンドルモータ１１によりターンテーブル１
０を介してディスクＤを精密に高速回転させて、そのディスクＤに記録されている映像情
報を鮮明に再生することができ、従来のように傾いたターンテーブル１０上のディスクＤ
がトレイ２に接触する事故を確実に防ぐことができる。
【００３２】
特に、メイン受台２３Ａと第１ビス挿通孔２４Ａとが同心状に重合して形成されている
から、その重合している分だけドライブシャーシ４を成形する成形金型の構造が簡単にな
り、金型代が安くつく。
【００３３】
また、ドライブシャーシ４に対して精密加工に優れたハーフパンチ加工を施すことによ
り両サブ受台２３Ｂ，２３Ｃが形成されているので、その各サブ受台２３Ｂ，２３Ｃのモ
ータ対向面２９をドライブシャーシ４のモータ載置面４ａと平行に精密仕上げすることが
できる。
【００３４】
図４〜図６は本発明の第２の実施の形態であるＤＶＤプレーヤ（ディスク装置）を示す
ものであって、図４は同スピンドルモータ１１の固定構造を示す分解斜視図、図５は同水
平断面図、図６（ａ）（ｂ）は同固定手順を示す拡大横断面図である。
【００３５】
図４〜図６に示すように、メイン受台２３Ａが第１ビス挿通孔２４Ａとは別個に該第１
ビス挿通孔２４Ａの外側に位置決めされると共に、該メイン受台２３Ａのモータ対向面３
０が半球面とされ、該半球状モータ対向面３０の頂点３０ａの高さｈが両サブ受台２３Ｂ
，２３Ｃの高さｈと同一に設定され、その頂点３０ａと両サブ受台２３Ｂ，２３Ｃとをつ
なぐ三角形Ｔの中に第１ビス挿通孔２４Ａが位置決めされている。上記以外の構成は図１
〜図３に示す第１の実施の形態とほぼ同じであるから、同一部分に同一符号を付してその
説明を省略する。
【００３６】
固定手順を説明すると、最初に、図６（ａ）に示すように、第１ビス挿通孔２４Ａを通
ってスピンドルモータ１１のねじ孔２５にビス２６をねじ込む。これによって、メイン受
台２３Ａの頂点３０ａを支点にしてスピンドルモータ１１が矢印Ｂ方向に引っ張られ、そ
のスピンドルモータ１１が両サブ受台２３Ｂ，２３Ｃのモータ対向面２９に押し付けられ
る。続いて、図６（ｂ）に示すように、第２ビス挿通孔２４Ｂを通ってスピンドルモータ
１１のねじ孔２５にビス２６をねじ込む。
【００３７】
上記構成によれば、第１の実施の形態（図１〜図３参照）と同様の効果を得ることがで
き、特に、第１ビス挿通孔２４Ａを通ってビス２６をスピンドルモータ１１のねじ孔２５
にねじ込むと、該スピンドルモータ１１がメイン受台２３Ａの半球状モータ対向面３０の
頂点３０ａを支点にして両サブ受台２３Ｂ，２３Ｃに押し付けられるから、そのスピンド
ルモータ１１が半球状モータ対向面３０の頂点３０ａと両サブ受台２３Ｂ，２３Ｃとで確
実に３点支持されて、そのスピンドルモータ１１を傾かないようにドライブシャーシ４の
のモータ載置面４ａに所定通りに確実に固定することができる。
【００３８】
上記構成では、ＤＶＤプレーヤを例にあげて説明したが、これに限定されるわけではな
く、例えばＤＶＤレコーダなどのディスク装置にも適用するすることができる。
【図面の簡単な説明】
【００３９】
【図１】本発明の第１の実施の形態であるディスク装置におけるスピンドルモータの固定構造を示す分解斜視図である。
【図２】同水平断面図である。
【図３】（ａ）（ｂ）は同固定手順を示す拡大横断面図である。
【図４】本発明の第２の実施の形態であるディスク装置におけるスピンドルモータの固定構造を示す分解斜視図である。
【図５】同水平断面図である。
【図６】（ａ）（ｂ）は同固定手順を示す拡大横断面図である。
【図７】ディスク装置の水平断面図である。
【図８】同縦断面図である。
【図９】同横断面図である。
【図１０】従来のスピンドルモータの固定構造を示す分解斜視図である。
【図１１】同水平断面図である。
【図１２】同拡大横断面図である。
【図１３】（ａ）（ｂ）は同固定手順を示す拡大横断面図である。
【符号の説明】
【００４０】
３              ローダーシャーシ
４              ドライブシャーシ
４ａ            ドライブシャーシのモータ載置面
７              光ピックアップ
１０            ターンテーブル
１１            スピンドルモータ
２３Ａ          メイン受台
２３Ｂ，２３Ｃ  サブ受台
２４Ａ          第１ビス挿通孔
２４Ｂ          第２ビス挿通孔
２５            ねじ孔
２６            ビス
２８            メイン受台の傾斜状モータ対向面
２８ａ          傾斜状モータ対向面の頂点
２９            サブ受台のモータ対向面
３０            メイン受台の半球状モータ対向面
３０ａ          半球状モータ対向面の頂点
Ｔ              三角形
ｈ              高さ
【図１】
2008108344.tif 000003
【図２】
2008108344.tif 000004
【図３】
2008108344.tif 000005
【図４】
2008108344.tif 000006
【図５】
2008108344.tif 000007
【図６】
2008108344.tif 000008
【図７】
2008108344.tif 000009
【図８】
2008108344.tif 000010
【図９】
2008108344.tif 000011
【図１０】
2008108344.tif 000012
【図１１】
2008108344.tif 000013
【図１２】
2008108344.tif 000014
【図１３】
2008108344.tif 000015